(57)【要約】【課題】  光ディスクに記録されたＭＰＥＧ方式で圧縮された情報データをトリックプレイで早送り再生する際に、ユーザにとって重要度の高いシーンをスキップせずに、そのシーンを再生することができるようにする。【解決手段】  光ディスクに記録された重要度の高いシーンのそれぞれを含む単位情報のアドレスを算出し、重要度の高いシーンが現在再生中の情報データのアドレスと次の所定時間先にトリックプレイで早送り再生する情報データのアドレスとの間にあるか否かを判別して、重要度の高いシーンが現在再生中の情報データのアドレスと次の所定時間先に所定短時間再生する情報データのアドレスとの間にある場合、該重要度の高いシーンの映像データを再生中の情報データの次に所定短時間再生するようにする。【選択図】        図３
2006134419.tif 000002
【特許請求の範囲】
【請求項１】
光ディスクにＭＰＥＧ方式で圧縮して記録された情報データを早送り再生するディスク再生装置であって、
光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出する算出手段と、前記重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別する判別手段と、前記重要度の高いシーンが現在再生中の情報データのアドレスと次の所定時間先に所定短時間再生する情報データのアドレスとの間にある場合、該重要度の高いシーンの映像データを再生中の情報データの次に所定短時間再生する早送り再生手段とを備えたことを特徴とするディスク再生装置。
【請求項２】
光ディスクにＭＰＥＧ方式で圧縮して記録された情報データを早送り再生するディスク再生装置であって、
光ディスクに記録された重要度の高いシーンのそれぞれを含む単位情報のアドレスを算出する算出手段と、前記重要度の高いシーンが現在再生中の情報データのアドレスと次の所定時間先に所定短時間再生する情報データのアドレスとの間にあるか否かを判別する判別手段と、前記重要度の高いシーンが現在再生中の情報データのアドレスと次の所定時間先に所定短時間再生する情報データのアドレスとの間にある場合、該重要度の高いシーンの映像データを再生中の情報データの次に所定短時間再生する早送り再生手段とを備えたことを特徴とするディスク再生装置。
【請求項３】
前記算出手段は、光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出する算出手段であることを特徴とする請求項２記載のディスク再生装置。
【請求項４】
前記判別手段は、前記重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別する判別手段であることを特徴とする請求項２記載のディスク再生装置。
【請求項５】
光ディスクにＭＰＥＧ方式で圧縮して記録された情報データを早送り再生するディスク再生装置の再生方法であって、
光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出するステップと、前記重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別するステップと、前記重要度の高いシーンが現在再生中の情報データのアドレスと次の所定時間先に所定短時間再生する情報データのアドレスとの間にある場合、該重要度の高いシーンの映像データを再生中の情報データの次に所定短時間再生するステップとを備えたことを特徴とするディスク再生装置の再生方法。
【発明の詳細な説明】
【技術分野】
【０００１】
本発明は、光ディスクに記録された情報データを再生するディスク再生装置に係り、特に光ディスクにＭＰＥＧ（Ｍｏｖｉｎｇ  Ｐｉｃｔｕｒｅ  Ｅｘｐｅｒｔｓ  Ｇｒｏｕｐ）方式で圧縮して記録された情報データをトリックプレイで早送り再生するディスク再生装置に関する。
【背景技術】
【０００２】
従来、光ディスクにＭＰＥＧ方式で圧縮して記録された情報データをトリックプレイで早送り再生する場合、情報データのそれぞれを含む単位情報のＶＯＢＵ（Ｖｉｄｅｏ  Ｏｂｊｅｃｔ  Ｕｎｉｔ）に含まれる制御情報を読み出さずに、所定時間毎、例えば、再生時間で３０分毎に再生されるアドレスに記録された情報データを所定短時間、例えば、０．４秒から１秒間通常再生して、光ディスクに記録された情報データを順次早送りで再生するようになっている。そのため、光ディスクにＭＰＥＧ方式で圧縮して記録された情報データをトリックプレイで早送り再生した場合、ユーザにとって重要度の高いシーンであっても、そのシーンがスキップされて再生されないという問題点があった。
背景技術としては、ＭＰＥＧ方式におけるＧＯＰ（Ｇｒｏｕｐ  Ｏｆ  Ｐｉｃｔｕｒｅ）層にフレーム画像データとともにサムネイルを用いた再生や部分再生又は早送り再生等のＧＯＰ内に記録された画像データを様々な特殊再生を制御する特殊再生制御情報を記録して、特殊再生制御情報に基づいて特殊再生を行うようにしたものがあった（例えば、特許文献１参照）。
また、トランスポートストリームをデマルチプレックスしてプログラムデータとメタデータとを供給して、ナビゲーションデータを記憶するためのデータ構造とプログラムデータパケットを記憶するストリームフォーマットのデータ構造を有するデジタル記憶フォーマットでプログラムデータを記憶し、メタデータのデータ構造を変換して、変換されたメタデータのナビゲーションデータの一部として記憶するようにしたものがあった（例えば、特許文献２参照）。
【特許文献１】特開２００３−３３３５２９号公報
【特許文献２】特開２００３−２０４５２３号公報
【発明の開示】
【発明が解決しようとする課題】
【０００３】
しかしながら、背景技術で述べたもののうち前者においては、ＭＰＥＧ方式におけるＧＯＢ層にフレーム画像データとともにサムネイルを用いた再生や部分再生又は早送り再生等のＧＯＰ内に記録された画像データを様々な特殊再生を制御する特殊再生制御情報を記録して、特殊再生制御情報に基づいて特殊再生を行うことができたが、制作者が意図した特殊再生の情報を取り込んで、伝送することができるようにしたものであって、上記問題点を解決するようにしたものではなかった。
また、後者においては、トランスポートストリームをデマルチプレックスしてプログラムデータとメタデータとを供給して、ナビゲーションデータを記憶するためのデータ構造とプログラムデータパケットを記憶するストリームフォーマットのデータ構造を有するデジタル記憶フォーマットでプログラムデータを記憶し、メタデータのデータ構造を変換して、変換されたメタデータのナビゲーションデータの一部として記憶することができたが、デジタルオーディオ／ビデオレコーダによりトランスポートストリーム内に含まれるプログラムデータを記録するようにしたものであって、上記問題点を解決するようにしたものではなかった。
本発明は、背景技術の有するこのような問題点に鑑みてなされたものであり、その目的とするところは、光ディスクにＭＰＥＧ方式で圧縮して記録された情報データをトリックプレイで早送り再生する際に、ユーザにとって重要度の高いシーンをスキップせずに、そのシーンを再生することができるディスク再生装置を提供しようとするものである。
【課題を解決するための手段】
【０００４】
上記目的を達成するため本発明においては、光ディスクにＭＰＥＧ方式で圧縮して記録された情報データを早送り再生するディスク再生装置であって、光ディスクに記録された重要度の高いシーンのそれぞれを含む単位情報のアドレスを算出する算出手段と、前記重要度の高いシーンが現在再生中の情報データのアドレスと次の所定時間先に所定短時間再生する情報データのアドレスとの間にあるか否かを判別する判別手段と、前記重要度の高いシーンが現在再生中の情報データのアドレスと次の所定時間先に所定短時間再生する情報データのアドレスとの間にある場合、該重要度の高いシーンの映像データを再生中の情報データの次に所定短時間再生する早送り再生手段とを備える。
前記算出手段は、光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出するようにするとよい。
前記判別手段は、前記重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別するようにするとよい。
これらの手段により、光ディスクにＭＰＥＧ方式で圧縮して記録された情報データをトリックプレイで早送り再生する際に、ユーザにとって重要度の高いシーンをスキップせずに、そのシーンを再生することができる。
【発明の効果】
【０００５】
請求項１記載の発明に係るディスク再生装置によれば、光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出し、重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別して、重要度の高いシーンが現在再生中の情報データのアドレスと次の所定時間先に所定短時間再生する情報データのアドレスとの間にある場合、該重要度の高いシーンの映像データを再生中の情報データの次に所定短時間再生するようにしているので、光ディスクにＭＰＥＧ方式で圧縮して記録された情報データをトリックプレイで早送り再生する際に、ユーザにとって重要度の高いシーンをスキップせずに、そのシーンを再生することができる。
請求項２記載の発明に係るディスク再生装置によれば、光ディスクに記録された重要度の高いシーンのそれぞれを含む単位情報のアドレスを算出し、重要度の高いシーンが現在再生中の情報データのアドレスと次の所定時間先に所定短時間再生する情報データのアドレスとの間にあるか否かを判別して、重要度の高いシーンが現在再生中の情報データのアドレスと次の所定時間先に所定短時間再生する情報データのアドレスとの間にある場合、該重要度の高いシーンの映像データを再生中の情報データの次に所定短時間再生するようにしているので、光ディスクにＭＰＥＧ方式で圧縮して記録された情報データをトリックプレイで早送り再生する際に、ユーザにとって重要度の高いシーンをスキップせずに、そのシーンを再生することができる。
請求項３記載の発明に係るディスク再生装置によれば、光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出するようにしているので、光ディスクにＭＰＥＧ方式で圧縮して記録された情報データをトリックプレイで早送り再生する際に、ユーザにとって重要度の高いシーンのアドレスを算出することができ、該重要度の高いシーンをスキップせずに、そのシーンを再生することができる。
請求項４記載の発明に係るディスク再生装置によれば、重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別するようにしているので、光ディスクにＭＰＥＧ方式で圧縮して記録された情報データをトリックプレイで早送り再生する際に、重要度の高いシーンが現在再生中のビデオオブジェクトユニットのアドレスと次の所定時間先に所定短時間再生するビデオオブジェクトユニットのデータサーチ情報から求められたアドレスとの間にある場合、ユーザにとって重要度の高いシーンをスキップせずに、そのシーンを再生することができる。
請求項５記載の発明に係るディスク再生装置によれば、光ディスクのビデオタイトルセットのタイムマップテーブル情報からメタデータの存在又はメタデータ内の記述内容等に基づいて重要度の高いシーンのそれぞれを含む単位情報のビデオオブジェクトユニットのアドレスを算出し、重要度の高いシーンが現在再生中のビデオオブジェクトユニットのアドレスと次の所定時間先に所定短時間再生するビデオオブジェクトユニットのデータサーチ情報から求められたアドレスとの間にあるか否かを判別して、重要度の高いシーンが現在再生中の情報データのアドレスと次の所定時間先に所定短時間再生する情報データのアドレスとの間にある場合、該重要度の高いシーンの映像データを再生中の情報データの次に所定短時間再生するようにしているので、光ディスクにＭＰＥＧ方式で圧縮して記録された情報データをトリックプレイで早送り再生する際に、ユーザにとって重要度の高いシーンをスキップせずに、そのシーンを再生することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置の動作を示す説明図であり、図３は本発明の一実施例のディスク再生装置の動作を示すフローチャートである。
まず、図１の本発明の一実施例のディスク再生装置の構成を示すブロック図を基に説明する。
ディスク再生装置１は、光ディスク２の記録面にレーザ光を照射してその反射光を検出して光ディスク２に記録された情報データを読み出す光ピックアップ３と、光ディスク２を回転させるスピンドルモータ４と、光ピックアップ３を光ディスク２の半径方向に移動させるスレッドモータ５と、スピンドルモータ４を駆動して光ディスク２の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するＲＦ増幅回路７と、ＲＦ増幅回路７により増幅された情報データのＲＦ信号を基準クロックに基づいて同期検出してアナログ信号の情報データをデジタル信号に変換し、デジタルデータに変換された情報データを復調して、復調された情報データの誤りを訂正するデジタル信号処理回路８と、デジタル信号処理回路８が情報データの信号を処理する際に、情報データを一時的に蓄積するバッファメモリ９と、情報データのビデオ信号、サブピクチャ信号、オーディオ信号の各ビットストリームを分離するストリーム分離部１０と、所定の圧縮方式、例えば、ＭＰＥＧ方式で圧縮された情報データのビデオ信号を伸長して、元の情報データのビデオ信号に復号するビデオデコーダ１１と、所定の圧縮方式で圧縮されたサブピクチャ信号の情報データの文字情報信号等を伸長して、元の情報データの文字情報信号等に復号するサブピクチャデコーダ１２と、復号されたビデオ信号とサブピクチャ信号とを光ディスクに記録された時間情報に基づいて元の順序に混合するビデオミキサ１３と、ビデオミキサ１３により混合されたデジタル信号のビデオ信号を所定の信号方式に従ったビデオ信号、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のビデオ信号に符号化して、符号化されたデジタル信号のビデオ信号をアナログ信号に変換するエンコーダ／ＤＡ変換回路１４と、所定の圧縮方式、例えば、ＡＣ−３（Ａｕｄｉｏ  Ｃｏｍｐｒｅｓｓｉｏｎ−３、米国ドルビーラボラトリーズ社の商標）方式で圧縮された情報データのオーディオ信号を伸長して、元のデジタル信号のオーディオ信号に復号するオーディオデコーダ１５と、復号されたデジタル信号のオーディオ信号をアナログ信号に変換するＤＡ変換回路１６と、ディスク再生装置１のシステム全体を制御するマイコン１７と、リモコン装置２０から送信された赤外線信号のリモコン信号を受信して、所定の電気信号に変換するリモコン受信部１８とで構成されている。
以上のように構成されたディスク再生装置について、以下その動作について説明する。
光ディスク２がディスク再生装置１にローディングされると、マイコン１７は、サーボ回路６に制御信号を送出して、スピンドルモータ４とスレッドモータ５を回転させて光ピックアップ３を移動させ、光ピックアップ３により光ディスク２のビデオタイトルセットのタイムマップテーブルのＶＴＳ＿ＴＭＡＰＴ（Ｖｉｄｅｏ  Ｔｉｔｌｅ  Ｓｅｔ＿Ｔｉｍｅ  Ｍａｐ  Ｔａｂｌｅ）情報を読み出して、読み出されたＶＴＳ＿ＴＭＡＰＴからユーザにとって重要度の高いシーンのそれぞれを含む単位情報のＶＯＢＵアドレスを算出し、光ディスク２に記録された情報データのトリックプレイによる早送り再生が指令されると、光ディスク２に記録された情報データのトリックプレイによる早送り再生を開始する。
そして、トリックプレイによる早送り再生中に、マイコン１７は、メタデータの存在又はメタデータ内の記述内容等のユーザにとって重要度の高いシーンが現在再生中のＶＯＢＵアドレスと所定時間先にトリックプレイで早送り再生する情報データのアドレスのデータサーチ情報のＤＳＩ（Ｄａｔａ  Ｓｅｒｃｈ  Ｉｎｆｏｒｍａｔｉｏｎ）から求めた次のＶＯＢＵアドレスとの間にあるか否かを判別して、重要度の高いシーンが現在再生中のＶＯＢＵアドレスとＤＳＩから求めた次のＶＯＢＵアドレスとの間にある場合、ユーザにとって重要度の高いシーンのＶＯＢＵアドレスの映像データを所定短時間再生する（図２参照）。また、重要度の高いシーンが現在再生中のＶＯＢＵアドレスとＤＳＩから求められた次のＶＯＢＵアドレスとの間にない場合、マイコン１７は、ＤＳＩから求められたＶＯＢＵアドレスの映像データを所定短時間再生する（図２参照）。
トリックプレイによる上記早送り再生動作を繰り返して、光ディスク２に記録された情報データのトリックプレイによる早送り再生が終了すると、マイコン１７は、サーボ回路６に制御信号を送出して、スピンドルモータ４とスレッドモータ５の回転を停止し、光ディスク２に記録された情報データのトリックプレイによる早送り再生を終了する。これにより、光ディスクにＭＰＥＧ方式で圧縮して記録された情報データをトリックプレイで早送り再生する際に、ユーザにとって重要度の高いシーンをスキップせずに、そのシーンを再生することができる。
また、図３の本発明の一実施例のディスク再生装置の動作を示すフローチャートを基に説明する。
光ディスクがディスク再生装置にローディングされると、ステップＳ１からステップＳ２に進み、ステップＳ２で、ビデオタイトルセットのタイムマップテーブルのＶＴＳ＿ＴＭＡＰＴ情報からユーザにとって重要度の高いシーンのそれぞれを含む単位情報のＶＯＢＵアドレスが算出されて、ステップＳ３に進む。
ステップＳ３で、光ディスクに記録された情報データのトリックプレイによる早送り再生が指令されたか否かが判断され、光ディスクに記録された情報データのトリックプレイによる早送り再生が指令された場合、ステップＳ４に進み、光ディスクに記録された情報データのトリックプレイによる早送り再生が指令されない場合、ステップＳ９に進んで処理を終了する。
ステップＳ４で、光ディスクに記録された情報データのトリックプレイによる早送り再生が開始されて、ステップＳ５に進む。
ステップＳ５で、メタデータの存在又はメタデータ内の記述内容等のユーザにとって重要度の高いシーンが現在再生中のＶＯＢＵアドレスと所定時間先に所定短時間再生する情報データのアドレスのデータサーチ情報のＤＳＩから求められた次のＶＯＢＵアドレスとの間にあるか否かが判断され、重要度の高いシーンが現在再生中のＶＯＢＵアドレスとＤＳＩから求められた次のＶＯＢＵアドレスとの間にある場合、ステップＳ６に進み、重要度の高いシーンが現在再生中のＶＯＢＵアドレスとＤＳＩから求められた次のＶＯＢＵアドレスとの間にない場合、ステップＳ７に進む。
ステップＳ６で、ユーザにとって重要度の高いシーンのＶＯＢＵアドレスの映像データが所定短時間再生され、ステップＳ８に進む。
ステップＳ７で、ＤＳＩから求められたＶＯＢＵアドレスの映像データが所定短時間再生され、ステップＳ８に進む。
ステップＳ８で、光ディスクに記録された情報データのトリックプレイによる早送り再生が終了したか否かが判断され、光ディスクに記録された情報データのトリックプレイによる早送り再生が終了した場合、ステップＳ９に進んで処理を終了し、光ディスクに記録された情報データのトリックプレイによる早送り再生が終了していない場合、ステップＳ５に戻って、ステップＳ５からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置の動作を示す説明図である。
【図３】本発明の一実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  デジタル信号処理回路
９  バッファメモリ
１０  ストリーム分離部
１１  ビデオデコーダ
１２  サブピクチャデコーダ
１３  ビデオミキサ
１４  エンコーダ／ＤＡ変換回路
１５  オーディオデコーダ
１６  ＤＡ変換回路
１７  マイコン
１８  リモコン受信部
２０  リモコン装置
【図１】
2006134419.tif 000003
【図２】
2006134419.tif 000004
【図３】
2006134419.tif 000005